(57)【要約】【課題】  従来の皮膜形成剤は、対象物毎に異なる成分で調合されるため、使用者は対象物毎に使い分けなければならず、不便であった。また、人体用以外の皮膜形成剤には、人体へ有害な物質が使用されることもあり、身の回りの物に使用される場合、人体に触れたり、揮発した物質を人が吸い込んだりすることにもなるため、シックハウス症候群や化学物質過敏症の原因の一つであると言われている。【解決手段】  対象物毎に異なる成分で調合する従来の方法ではなく、蜜蝋、カルナバワックス、キャンデリラワックス、及びホホバワックスを用いて、人体、皮革製品、繊維製品、木工製品、及び工業製品に汎用可能な皮膜形成剤を調合し、使い分けることによる不便さを解消する。また、人体に使用可能であることを基準として調合するため、人体以外の身の回りの品に使用しても、従来のような健康上の問題を引き起こすこともなくなる。【特許請求の範囲】
【請求項１】
人体、皮革製品、繊維製品、木工製品、及び工業製品の表面に皮膜を形成し、汚れや傷を防ぎ、滑らかな表面には光沢を与えることで美観を向上させるような汎用の皮膜形成剤
【請求項２】
人体に使用するものと同じ成分であることから、皮革製品、繊維製品、木工製品、及び工業製品に使用した場合でも、シックハウス症候群や化学物質過敏症といった疾患の原因とならないような汎用の皮膜形成剤
【請求項３】
常温で固体である動物性ワックスの蜜蝋、及び植物性ワックスのカルナバワックスとキャンデリラワックス、そして常温で液体である植物性ワックスのホホバワックスから調合される汎用の皮膜形成剤
【請求項４】
皮膜形成を目的とする材料以外のものは原則使用せず、酸化防止剤、防腐剤、着色料、香料、または水等を混合する場合は、対象とする人体、皮革製品、繊維製品、木工製品、及び工業製品のいずれにとっても害の無いものを使用することを特徴とする汎用の皮膜形成剤
【請求項５】
調合後の全体質量に対するホホバワックスの質量比が、１％以上、且つ８０％以下であり、且つ調合される常温で固体のワックス全体に占める蜜蝋の質量比が、５０％以上であることを特徴とする汎用の皮膜形成剤
【発明の詳細な説明】
【技術分野】
【０００１】  本発明は、人体、皮革製品、繊維製品、木工製品、及び工業製品の表面に皮膜を形成し、汚れや傷を防ぎ、滑らかな表面には光沢を与えることで美観を向上させるような皮膜形成剤に関するものである。
【背景技術】
【０００２】  これまで、皮膜形成剤は表面に皮膜を形成しようとする対象物毎にそれぞれ異なる成分で調合され、使用されてきた。例えば、人体用でも、手用、顔用、又は唇用では異なる成分で調合された皮膜形成剤が使用されている。皮革用の皮膜形成剤は、人体用の皮膜形成剤とは異なる成分で調合されるが、皮革用の中でも、靴用、鞄用、衣料品用、又はスポーツ用具用では、それぞれ異なる成分で調合された皮膜形成剤が使用されている。繊維製品用、木工用、及び工業製品用でも同様の事が言える。
【発明の開示】
【発明が解決しようとする課題】
【０００３】  しかし、皮膜を形成しようとする対象物毎にそれぞれ異なる成分で調合され、使用されている現状には次のような問題点がある。対象物の表面に保護や美観向上のために皮膜を形成するという目的は同じであるにも関わらず、対象物に応じて異なる皮膜形成剤を用いる必要があり、使用者にとって不便である。また、人体に使用されるものには人体に有害な物質の使用が抑えられているが、人体以外への使用を目的としたものには、皮膜形成力や乾燥速度といった効率が優先されるために、人体へ有害な物質が使用されていることも少なくない。皮膜を形成する対象物自体が人体でなくとも、身の回りの物に使用する場合、人体に触れたり、揮発した物質を人が吸い込んだりすることにもなる。床材や家具へ使用されるワックス等はシックハウス症候群や化学物質過敏症といった疾患の原因のひとつであるとも言われており、社会的な問題として認識されはじめている。
【課題を解決するための手段】
【０００４】  本発明の発明者は、前記の課題を解決するにはどのようにすればよいかと思索し、実験も重ねた結果、ようやく本発明を完成させることができた。本発明に係る皮膜形成剤は次のとおりである。【０００５】  人体、皮革製品、繊維製品、木工製品、及び工業製品のそれぞれの専用の皮膜形成剤ではなく、人体、皮革製品、繊維製品、木工製品、及び工業製品のいずれにも共通して使用可能な汎用の皮膜形成剤を調合することで、何種類もの皮膜形成剤を入手、及び管理し、対象物に応じて使い分けなければならないという不便さが解消される。また、人体に使用可能な皮膜形成剤であれば、肌に触れる木工製品や皮革製品にも安心して使用することが可能であり、シックハウスや化学物質過敏症を引き起こすような従来の皮膜形成剤の代替品として、安心して使用することが可能である。【０００６】  調合には、常温で固体である動物性、及び植物性のワックスと常温で液体である植物性ワックスを用いる。常温で固体であるワックスとしては、動物性の蜜蝋（ビーズワックス）、及び植物性のカルナバワックスとキャンデリラワックスを用いて、常温で液体であるワックスとしてはホホバの種子より抽出されるホホバワックスを用いる。【０００７】  調合は、常温で固体である蜜蝋、カルナバワックス、及びキャンデリラワックスと常温で液体であるホホバワックスを特定の比率で混ぜ合わせることで行う。常温で混ぜ合わせることが難しいため、常温で固体である蜜蝋、カルナバワックス、及びキャンデリラワックスが完全に融解するまで熱した上で混ぜ合わせる。その際の比率は、混ぜ合わせた後の全体の質量に対して、常温で液体であるホホバワックスの割合が、１％以上、且つ８０％以下であるとする。また、常温で固体である蜜蝋、カルナバワックス、及びキャンデリラワックスをどのように組み合わせるかについては、期待する調合後の皮膜形成剤の硬さ、皮膜の強度、及び光沢の度合いが使用者の好みや気温等の使用環境にとって最適となるように決める。【０００８】  皮膜形成剤には、皮膜形成を目的とする材料以外のものは原則使用しない。酸化防止剤、防腐剤、着色料、香料、または水等を混合する場合は、対象とする人体、皮革製品、繊維製品、木工製品、及び工業製品のいずれにとっても害の無いものを使用する。
【発明の効果】
【０００９】  本発明により、従来は人体用の皮膜形成剤の中でも手用、顔用、又は唇用の皮膜形成剤がそれぞれ別であったが、共有のものを使用することが可能になる。人体だけではなく、同じ皮膜形成剤を皮革製品、繊維製品、木工製品、及び工業製品にも使用することが可能になることにより、１種類の皮膜形成剤を携帯、または保管することで、人体、及び身の回りのものに対して共通して使用することが可能になる。従来の皮革製品用の皮膜形成剤や保護クリームと呼ばれるものには、人体に有害なものが含まれることも少なくなく、保護者は乳幼児が触れたり、舐めたりしないように注意をしなければならないが、当発明品を使用することで、その様な心配が不要になる。また、床材や家具へ皮膜形成用に使用した場合、人体にも使用可能なものであるため、シックハウスや化学物質過敏症を引き起こす心配も不要となる。人体や身の回りの物に対して共通して使用できることは、経済的である他、シックハウスや化学物質過敏症を引き起こすこともなく、そして人体に害がないものであれば環境に対する負荷も少なく、エコロジーであるといえる。
【発明を実施するための最良の形態】
【００１０】  本発明を実施するための最良の形態を説明する。蜜蝋とホホバワックスを熱し、完全に融解した状態で、混ぜ合わせ、冷却しながらかくはんし、凝固したものを使用する。調合後の全体質量に対するホホバワックスの質量比は、１％以上、且つ８０％以下であるとする。【００１１】  蜜蝋、カルナバワックス、及びホホバワックスを熱し、完全に融解した状態で、混ぜ合わせ、冷却しながらかくはんし、凝固したものを使用する。調合後の全体質量に対するホホバワックスの質量比は、１％以上、且つ８０％以下であるとする。また、蜜蝋とカルナバワックスの比率は、二つの合計質量に対する蜜蝋の比率が５０％以上であるものとする。【００１２】  蜜蝋、キャンデリラワックス、及びホホバワックスを熱し、完全に融解した状態で、混ぜ合わせ、冷却しながらかくはんし、凝固したものを使用する。調合後の全体質量に対するホホバワックスの質量比は、１％以上、且つ８０％以下であるとする。また、蜜蝋とキャンデリラワックスの比率は、二つの合計質量に対する蜜蝋の比率が５０％以上であるものとする。【００１３】  蜜蝋、カルナバワックス、キャンデリラワックス、及びホホバワックスを熱し、完全に融解した状態で、混ぜ合わせ、冷却しながらかくはんし、凝固したものを使用する。調合後の全体質量に対するホホバワックスの質量比は、１％以上、且つ８０％以下であるとする。また、蜜蝋、カルナバワックス、及びキャンデリラワックスの比率は、三つの合計質量に対する蜜蝋の比率が５０％以上であるものとする。【００１４】  調合された皮膜形成剤は、広口ビン、チューブ、リップステッィク型容器、又は紙容器等、使用者にとって最適となるような容器に入れて使用される。また、ホホバワックスの比率を下げ、且つ凝固する際にかくはんしなければ、固形石けんのような形状での使用も可能である。